(57)【要約】【課題】  ユーザから決済した額の清算を容易に行うことが可能なジョブ実行装置、決済処理装置およびプログラムを提供する。【解決手段】  ジョブ実行装置１００の制御ＰＣ１は、複合機２によるジョブの実行が用紙詰まり等の不具合を発生して不完全な状態で終了した場合に、清算すべき額を表す清算情報を生成して、この清算情報を示す画像を複合機２にプリントさせる。【選択図】  図３
2008124558.tif 000002
【特許請求の範囲】
【請求項１】
ユーザからの指示によりジョブを実行するジョブ実行手段と、
ユーザの決済可能額を表す残高情報を取得する残高情報取得手段と、
前記ジョブ実行手段が実行する前記ジョブの対価額を前記残高情報に基づいて決済する決済手段と、
前記ジョブの実行が不完全な状態で終了した場合に、前記残高情報に基づいて決済した決済額と、当該ジョブのうち実行が完了した分の対価額との差額を表す清算情報を生成する生成手段と、
前記清算情報を出力する出力手段と、
を備えることを特徴とするジョブ実行装置。
【請求項２】
請求項１に記載のジョブ実行装置であって、
前記ジョブは、複数の工程を含み、
前記生成手段は、前記ジョブに含まれる全ての工程の実行が完了しなかった場合に、前記残高情報に基づいて決済した決済額と、当該ジョブのうち実行が完了した工程分の対価額との差額から前記清算情報を生成することを特徴とするジョブ実行装置。
【請求項３】
請求項１に記載のジョブ実行装置であって、
前記出力手段は、前記清算情報を示す画像を記録用紙に形成することを特徴とするジョブ実行装置。
【請求項４】
請求項１に記載のジョブ実行装置であって、
前記出力手段は、前記清算情報を外部装置に対して出力することを特徴とするジョブ実行装置。
【請求項５】
請求項１に記載のジョブ実行装置であって、
当該ジョブ実行装置は、画像形成装置として構成され、
前記ジョブ実行手段は、画像を記録用紙に形成するジョブを実行可能な機能を有し、
前記出力手段は、前記ジョブ実行手段に、前記清算情報を示す画像を記録用紙に形成させることを特徴とするジョブ実行装置。
【請求項６】
請求項５に記載のジョブ実行装置であって、
前記出力手段は、前記ジョブ実行手段に、前記ジョブの実行に際して処理されなかった画像のサムネイル画像を、前記清算情報を示す画像とともに記録用紙に形成させることを特徴とするジョブ実行装置。
【請求項７】
ユーザからの指示により実行されるジョブの対価額を、ユーザの決済可能額を表す残高情報に基づいて決済する決済手段と、
前記ジョブの実行が不完全な状態で終了した場合に、前記残高情報に基づいて決済した決済額と、当該ジョブのうち実行が完了した分の対価額との差額を表す清算情報を生成する生成手段と、
前記清算情報を出力する出力手段と、
を備えることを特徴とする決済処理装置。
【請求項８】
コンピュータに、
ユーザからの指示により実行されるジョブの対価額を、ユーザの決済可能額を表す残高情報に基づいて決済する決済ステップと、
前記ジョブの実行が不完全な状態で終了した場合に、前記残高情報に基づいて決済した決済額と、当該ジョブのうち実行が完了した分の対価額との差額を表す清算情報を生成する生成ステップと、
前記清算情報を出力する出力ステップと、
を実行させることを特徴とするプログラム。
【発明の詳細な説明】
【技術分野】
【０００１】
本発明は、ジョブ実行装置、決済処理装置およびプログラムに関する。
【背景技術】
【０００２】
近年、多くの機能を搭載した複合機等のジョブ実行装置が広く普及している。このようなジョブ実行装置は、コンビニエンスストア等の店舗に設置され、コピー、プリント、スキャンやＦＡＸなどの機能を利用客に利用させて、利用に応じた対価額を決済するサービスを実現可能する。ここで、対価額の決済は、通常、複合機に併設されたコインキット等によって、現金やプリペイドカードを用いて行われる。
【０００３】
また、最近では、新たな決済方法として、電子マネーが記録された非接触式のＩＣチップを用いる方法が普及してきており、特許文献１のように、このような決済方法を実現可能なカードリーダを複合機にも適用することが提案されている。
【特許文献１】特開２００４−１０９８８４号
【発明の開示】
【発明が解決しようとする課題】
【０００４】
ところで、上記のような決済機能を有するジョブ実行装置では、コピー等のジョブが対価額を決済した後に不完全な状態で終了してしまうことがある。この場合、決済した額の一部または全部を利用客との間で清算する必要が生じる。
【０００５】
しかしながら、決済した額の清算は、現金またはそれに準ずるものを扱う性質上、容易に行うことができない。例えば、コインキット等から現金を返還したり、プリペイドカードの残高を戻したり、カードリーダからＩＣチップに入金することは、このような機能を悪用される可能性があることから現実的ではない。
【０００６】
そのため、決済した額の精算は、ジョブ実行装置の装置外で店員等の人の手によって行うことが好ましいが、この場合、清算すべき額の把握が容易ではない。
【０００７】
本発明は、上記問題に鑑みて為されたものであり、ユーザから決済した額の清算を容易に行うことが可能なジョブ実行装置、決済処理装置およびプログラムを提供することをその目的の一つとする。
【課題を解決するための手段】
【０００８】
上記課題を解決するため、本発明のジョブ実行装置は、ユーザからの指示によりジョブを実行するジョブ実行手段と、ユーザの決済可能額を表す残高情報を取得する残高情報取得手段と、前記ジョブ実行手段が実行する前記ジョブの対価額を前記残高情報に基づいて決済する決済手段と、前記ジョブの実行が不完全な状態で終了した場合に、前記残高情報に基づいて決済した決済額と、当該ジョブのうち実行が完了した分の対価額との差額を表す清算情報を生成する生成手段と、前記清算情報を出力する出力手段と、を備えることを特徴とする。
【０００９】
また、本発明のジョブ実行装置において、前記ジョブは、複数の工程を含み、前記生成手段は、前記ジョブに含まれる全ての工程の実行が完了しなかった場合に、前記残高情報に基づいて決済した決済額と、当該ジョブのうち実行が完了した工程分の対価額との差額から前記清算情報を生成することを特徴とする。
【００１０】
また、本発明のジョブ実行装置において、前記出力手段は、前記清算情報を示す画像を記録用紙に形成することを特徴とする。
【００１１】
また、本発明のジョブ実行装置において、前記出力手段は、前記清算情報を外部装置に対して出力することを特徴とする。
【００１２】
また、本発明のジョブ実行装置において、当該ジョブ実行装置は、画像形成装置として構成され、前記ジョブ実行手段は、画像を記録用紙に形成するジョブを実行可能な機能を有し、前記出力手段は、前記ジョブ実行手段に、前記清算情報を示す画像を記録用紙に形成させることを特徴とする。
【００１３】
また、本発明のジョブ実行装置において、前記出力手段は、前記ジョブ実行手段に、前記ジョブの実行に際して処理されなかった画像のサムネイル画像を、前記清算情報を示す画像とともに記録用紙に形成させることを特徴とする。
【００１４】
次に、本発明の決済処理装置は、ユーザからの指示により実行されるジョブの対価額を、ユーザの決済可能額を表す残高情報に基づいて決済する決済手段と、前記ジョブの実行が不完全な状態で終了した場合に、前記残高情報に基づいて決済した決済額と、当該ジョブのうち実行が完了した分の対価額との差額を表す清算情報を生成する生成手段と、前記清算情報を出力する出力手段と、を備えることを特徴とする。
【００１５】
次に、本発明のプログラムは、コンピュータに、ユーザからの指示により実行されるジョブの対価額を、ユーザの決済可能額を表す残高情報に基づいて決済する決済ステップと、前記ジョブの実行が不完全な状態で終了した場合に、前記残高情報に基づいて決済した決済額と、当該ジョブのうち実行が完了した分の対価額との差額を表す清算情報を生成する生成ステップと、前記清算情報を出力する出力ステップと、を実行させることを特徴とするプログラム。
【発明の効果】
【００１６】
上記本発明によれば、出力された清算情報によって、ユーザから決済した額の清算を容易に行うことができる。
【発明を実施するための最良の形態】
【００１７】
本発明の実施形態について、図面を参照しながら説明する。
【００１８】
図１は、ジョブ実行装置１００の外観構成例を示す図である。ジョブ実行装置１００は、複合機２を有する画像形成装置として構成されている。この複合機２は、プリンタ部２３やスキャナ部２５などを有しており、ジョブ実行手段として、コピー、プリント、スキャンやＦＡＸなどのジョブを実行可能である。
【００１９】
また、ジョブ実行装置１００は、決済処理手段としての制御コンピュータ（ＰＣ）１を有している。この制御ＰＣ１は、表示部と操作部が一体となった操作パネル１３を有しており、ユーザは、この操作パネル１３から複合機２に実行させるジョブの内容を表すジョブパラメータを入力することができる。
【００２０】
また、ジョブ実行装置１００は、残高情報取得装置としてのＩＣカードリーダ３１およびコインキット３２を有している。ＩＣカードリーダ３１は、ユーザが所持するＩＣカードや携帯機器に内蔵された非接触式のＩＣチップに記録されている電子マネーを決済に供する。コインキット３２は、ユーザから投入された現金やプリペイドカードの情報を決済に供する。
【００２１】
このようなジョブ実行装置１００は、コンビニエンスストア等の店舗に設置され、コピー、プリント、スキャンやＦＡＸなどの機能を利用客に利用させて、利用に応じた対価額を利用客から決済するサービスを実現可能とする。
【００２２】
図２は、ジョブ実行装置１００のシステム構成例を示すブロック図である。ジョブ実行装置１００に含まれる制御ＰＣ１と、複合機２と、残高情報取得装置３（ＩＣカードリーダ３１およびコインキット３２）は、相互に通信可能とされている。
【００２３】
制御ＰＣ１は、この制御ＰＣ１の動作を司る制御部１１と、ハードディスクドライブ（ＨＤＤ）１２と、操作パネル１３とを有している。また、制御ＰＣ１は、ネットワークに接続されており、このネットワークに接続された外部装置（図示せず）と通信可能とされている。
【００２４】
この制御部１１は、ＣＰＵ等によって構成されている。制御部１１の機能構成については、後述する。
【００２５】
このＨＤＤ１２は、制御部１１のＣＰＵの動作に必要なプログラムやデータを格納している。また、ＨＤＤ１２は、複合機２が実行するジョブの対価額（課金額）を記述したテーブルを記憶している。また、ＨＤＤ１２は、複合機２が実行したジョブの内容等を管理している。
【００２６】
複合機２は、制御部２１と、プリンタ制御部２２と、プリンタ部２３と、スキャナ制御部２４と、スキャナ部２５と、画像処理部２６と、ファックス制御部２７とを有する。
【００２７】
この制御部２１は、プリンタ制御部２２、スキャナ制御部２４、画像処理部２６およびファックス制御部２７との連携により、複合機２の全体の動作を司る。
【００２８】
ここで、プリンタ制御部２２は、プリンタ部２３の動作を司り、コピー機能やプリント機能を可能とする。スキャナ制御部２４は、スキャナ部２５の動作を司り、コピー機能やＦＡＸ機能、スキャン機能を可能とする。画像処理部２６は、スキャナ部２５がスキャンして得た画像データなどに対して画像処理を行う。ファックス制御部２７は、ＦＡＸ機能を可能とする。
【００２９】
ＩＣカードリーダ３１は、ユーザが所持するＩＣカードや携帯機器に内蔵された非接触式のＩＣチップに記録されている電子マネーの残高をユーザが決済することが可能な額（決済可能額）として、この決済可能額を表す残高情報を制御ＰＣ１へ出力する。また、コインキット３２も、ユーザから投入された現金やプリペイドカードの残高を決済可能額として、この決済可能額を表す残高情報を制御ＰＣ１へ出力する。
【００３０】
図３は、ジョブ実行装置１００の機能構成例を示すブロック図である。制御ＰＣ１の制御部１１は、機能的に、ジョブ管理部１５と、決済部１６と、生成部１７と、出力部１８とを有する。これらの構成要素は、制御部１１に含まれるＣＰＵのソフトウェア的な動作によって実現する。また、図４は、制御部１１の動作例を示すフローチャートである。
【００３１】
ジョブ実行装置１００において、残高情報取得装置３であるＩＣカードリーダ３１は、ユーザが所有するＩＣチップからユーザの認証情報を読取って、ユーザを認証した場合に、制御ＰＣ１および複合機２に対して動作開始信号を出力する。また、残高情報取得装置３であるコインキット３２も、ユーザから現金やプリペイドカードが投入された場合に、同様に、制御ＰＣ１および複合機２に対して動作開始信号を出力する。
【００３２】
この動作開始信号を受けて、制御ＰＣ１の制御部１１は、図４のフローチャートに示す動作を開始する。
【００３３】
まず、ジョブ管理部１５は、ＩＣカードリーダ３１から動作開始信号を受けた場合に、ＩＣカードリーダ３１からユーザの認証情報を取得する（Ｓ１）。ここで取得したユーザの認証情報は、管理情報の一つとしてＨＤＤ１２に格納される（詳細は後述）。
【００３４】
次に、ジョブ管理部１５は、複合機２に実行させるジョブの内容を表すジョブパラメータを操作パネル１３から受付ける（Ｓ２）。また、ジョブ管理部１５は、ネットワークに接続された外部装置（図示せず）からジョブパラメータを受付けることもできる。ここで受付けたジョブパラメータの情報は、管理情報の一つとしてＨＤＤ１２に格納される（詳細は後述）。
【００３５】
ここで、複合機２に実行させるジョブとは、コピー、プリント、スキャンやＦＡＸなどであり、これらのジョブの内容を表すジョブパラメータとは、例えば、コピーやプリントのジョブであれば、白黒印刷であるかカラー印刷であるかといったパラメータや、用紙サイズに関するパラメータや、出力枚数に関するパラメータなどを含む。
【００３６】
なお、コピー、スキャンやＦＡＸなどのジョブにおいて、処理に供される画像データは、複合機２のスキャナ部２５によって取得される。また、プリントなどのジョブにおいて、処理に供される画像データは、制御ＰＣ１によって、ネットワーク等に接続された外部装置から取得されたり、ユーザが所持しているメモリーカード等の記録媒体から取得されて、複合機２に提供される。
【００３７】
次に、ジョブ管理部１５は、ジョブパラメータを受付けると、このジョブパラメータを決済部１６に出力し、これを受けた決済部１６は、ＨＤＤ１２に記憶されている課金テーブルの内容を参照して、ジョブの対価額を求める（Ｓ３）。ここで求めたジョブの対価額（課金額）の情報は、管理情報の一つとしてＨＤＤ１２に格納される（詳細は後述）。
【００３８】
図５に、課金テーブルの構成例を示す。これによると、課金テーブルには、それぞれのジョブ内容について１ページ当たりの対価額（課金額）が記述されており、決済部１６は、ジョブパラメータに含まれるジョブの内容に関するパラメータや出力枚数に関するパラメータなどからジョブ全体の対価額を求める。
【００３９】
次に、決済部１６は、残高情報取得装置３であるＩＣカードリーダ３１やコインキット３２から受信した残高情報が表すユーザの決済可能額から、ジョブの対価額を決済することが可能である場合に、決済処理を行う（Ｓ４）。
【００４０】
具体的には、決済部１６は、残高情報取得装置３であるＩＣカードリーダ３１やコインキット３２に対してジョブの対価額の情報を含んだ決済信号を出力することで、これらＩＣカードリーダ３１やコインキット３２に決済を行わせる。
【００４１】
ここで、決済部１６は、ＩＣカードリーダ３１およびコインキット３２の一方にジョブの対価額を決済させることもできるし、ジョブの対価額を分割して、ＩＣカードリーダ３１およびコインキット３２の両方にそれぞれの額を決済させることもできる。
【００４２】
次に、ジョブ管理部１５は、決済部１６が決済処理を行った後に、操作パネル１３から受付けたジョブパラメータを複合機２に出力して、複合機２にこのジョブパラメータに基づくジョブを実行させる（Ｓ５）。また、ジョブ管理部１５は、複合機２からジョブの実行中の状態や実行結果などの情報を受けると、これを操作パネル１３に表示する。
【００４３】
また、ジョブ管理部１５は、複合機２からジョブの実行結果の情報を複合機２から受けると、この情報を生成部１７に出力する。
【００４４】
ここで、複合機２におけるジョブの実行が用紙詰まり等の不具合によって不完全な状態で終了した場合には、複合機２から受ける実行結果の情報には、実行されたジョブのうち、どの部分の実行が完了して、どの部分の実行が完了していないかという情報が含まれている。
【００４５】
例えば、ジョブが複数の工程から構成され、複合機２による実行において全ての工程が完了しなかった場合には、複合機２から受ける実行結果の情報には、実行が完了した工程と実行が完了しなかった工程の情報が含まれる。
【００４６】
ジョブが複数の工程から構成されている場合とは、例えば、ジョブが複数の画像データを用紙毎（ページ毎）にそれぞれプリントする工程を含む場合などがある。なお、ジョブの実行が用紙詰まり等の不具合によって不完全な状態で終了した場合、複合機２は、ジョブに含まれる画像データからサムネイル画像の画像データを生成する。このサムネイル画像の画像データは、ジョブの実行において処理された画像データに係るものと、処理されなかった画像データに係るものとに分類されている。そして、ジョブ管理部１５は、このサムネイル画像の画像データを取得する。ここで取得したサムネイル画像の画像データは、管理情報の一つとしてＨＤＤ１２に格納される（詳細は後述）。
【００４７】
次に、生成部１７は、決済処理で決済された決済額と、ジョブのうち実行が完了した分の対価額との差額を表す清算情報を生成する（Ｓ６）。
【００４８】
具体的には、生成部１７は、決済部１６が決済処理（Ｓ４）で決済した額（決済額）を取得する一方で、ジョブ管理部１５から受けた実行結果の情報に基づいて、ジョブのうち実行が完了した分の対価額を、ＨＤＤ１２に記憶されている課金テーブル（図５参照）の内容を参照して求める。そして、決決済処理で決済された決済額と、ジョブのうち実行が完了した分の対価額と、の差額を算出し、この差額（清算額）を表す情報を清算情報とする。ここで生成した清算情報は、管理情報の一つとしてＨＤＤ１２に格納される（詳細は後述）。
【００４９】
ここで、複合機２によるジョブの実行が用紙詰まり等の不具合を発生せずに完全に終了した場合には、決済処理で決済された決済額と、ジョブのうち実行が完了した分（すなわち、ジョブの全部）の対価額との差額は０であることから、差額（清算額）が０であることを表す清算情報が生成される。
【００５０】
他方、複合機２によるジョブの実行が用紙詰まり等の不具合を発生して不完全な状態で終了した場合には、決済処理で決済された決済額と、ジョブのうち実行が完了した分の対価額との差額が生じることから、この差額（清算額）を表す清算情報が生成される。
【００５１】
このように、決済額を基準として差額を求めることで、より信頼性の高い清算情報を得ることができる。これに限らず、ジョブのうち実行が完了しなかった分の対価額を直接求めて、これを差額としても良い。
【００５２】
ここで、ＨＤＤ１２に格納される管理情報について説明する。図６に、管理テーブルおよび管理情報の構成例を示す。ＨＤＤ１２には、上記のようにして格納された課金情報、認証情報（ＩＣカードを利用した場合）、清算情報、パラメータ情報、及びサムネイル画像の画像データ（ジョブの実行が用紙詰まり等の不具合によって不完全な状態で終了した場合）を管理情報として格納されており、また、これらは、管理テーブルによって、ジョブ毎の決済（課金）を管理するための課金管理番号に関連付けられている。
【００５３】
図６において、課金管理番号１２３４に係るジョブは、複合機２によるジョブの実行が用紙詰まり等の不具合を発生せずに完全な状態で終了したものであり、差額（清算額）が０であることを表す清算情報が格納されている。また、ＩＣカードが利用されていることから、ユーザの認証情報も格納されている。また、課金管理番号５６７８に係るジョブは、複合機２によるジョブの実行が用紙詰まり等の不具合を発生して不完全な状態で終了したものであり、決済処理で決済された決済額とジョブのうち実行が完了した分の対価額との差額（清算額）を表す清算情報が格納されている。また、サムネイル画像の画像データも格納されている。なお、ＩＣカードが利用されていないことから、ユーザの認証情報は格納されていない。
【００５４】
次に、出力部１８は、生成部１７が清算情報を生成すると、ＨＤＤ１２に格納された清算情報などの管理情報を読出して、この管理情報を示す画像を複合機２にプリントさせる（Ｓ７）。図７に、課金管理番号１２３４に係るジョブの管理情報の出力例を、図８に、課金管理番号５６７８に係るジョブの管理情報の出力例を示す。
【００５５】
図７に示した、課金管理番号１２３４に係るジョブの管理情報の出力例では、課金管理番号が１２３４であることを示す情報と、ジョブの実行が完全に終了したことを示すジョブ実行結果の情報と、ジョブの対価額（課金額）が１００円であったことを示す情報と、ユーザの認証情報と、清算額が０円であることを示す情報と、使用したパラメータ（カラー印刷で２枚プリント）を示す情報とが表示されている。
【００５６】
図８に示した、課金管理番号５６７８に係るジョブの管理情報の出力例では、課金管理番号が５６７８であることを示す情報と、ジョブの実行が不完全に終了したこと（３／５枚は完了し、２／５枚は中止されたこと）を示すジョブ実行結果の情報と、ジョブの対価額（課金額）が２５０円であったことを示す情報と、清算額が１００円であることを示す情報と、使用したパラメータ（カラー印刷で５枚プリント）を示す情報とが表示されている。また、ジョブの実行において処理された画像データに係るサムネイル画像と、処理されなかった画像データに係るサムネイル画像とが、区別されて表示されている。
【００５７】
このように、清算情報を含む管理情報を示す画像を用紙にプリントすることによって、この用紙を清算額の証明とすることができるので、これによって、ユーザから決済した額の清算を容易にすることができる。例えば、ジョブ実行装置１００がコンビニエンスストア等の店舗に設置されている場合には、ユーザがこの用紙をレジまで持ち運ぶことによって、清算を円滑に行うことが可能となる。
【００５８】
また、管理情報を示す画像を用紙にプリントする構成を複合機２とは別に設けても良いが、本実施形態のように、複合機２を利用して管理情報を示す画像を用紙にプリントさせることで、ジョブ実行装置１００の構成を簡易なものとすることができる。
【００５９】
上記の図８に示すように、ジョブの実行において処理されなかった画像データに係るサムネイル画像を清算情報とともにプリントすることによって、ユーザ等は、どの画像データが処理されなかったかを把握することができ、ひいては清算情報がどのようにして得られたかを理解しやすい。また、ジョブの実行において処理された画像データに係るサムネイル画像と、処理されなかった画像データに係るサムネイル画像と、を区別して清算情報とともにプリントすることによって、ユーザ等は、処理されなかった画像データの割合や内容を把握することができ、ひいては清算情報がどのようにして得られたかを理解しやすい。
【００６０】
上記の図７および図８に示すように、ジョブの実行結果を清算情報とともにプリントすることによって、ユーザ等は、ジョブの実行が完全に終了したか否かを把握することができ、ひいては清算情報がどのようにして得られたかを理解しやすい。また、ジョブの対価額（課金額）を清算情報とともにプリントすることによって、ユーザ等は、どれだけの額が決済されたかを把握することができ、ひいては清算情報がどのようにして得られたかを理解しやすい。また、ユーザの認証情報を清算情報とともにプリントすることによって、ユーザ等は、誰の清算情報であるかを容易に把握することができる。また、ジョブに使用されたジョブパラメータを清算情報とともにプリントすることで、ユーザ等は、ジョブの内容を把握することができ、ひいては清算情報がどのようにして得られたかを理解しやすい。
【００６１】
なお、以上の実施形態では、管理情報を示す画像を用紙にプリントする場合について述べたが、出力部１８を、ネットワークに接続された外部装置に対して清算情報を含む管理情報を出力するように構成することもできる。これによれば、出力された管理情報を清算額の証明とすることができるので、ジョブ実行装置１００の外部で、ユーザから決済した額の清算を容易に行うことができる。例えば、ジョブ実行装置１００がコンビニエンスストア等の店舗に設置されている場合には、管理情報をネットワークに接続されたレジ（レジスター装置）に対して出力することで、清算を円滑に行うことが可能となる。また、電子マネーを利用する場合には、電子マネーサービスを提供する提供機関のサーバ装置等に対して管理情報を送信するように構成することで、提供機関において清算を行わせることもできる。
【図面の簡単な説明】
【００６２】
【図１】ジョブ実行装置の外観構成例を示す図である。
【図２】ジョブ実行装置のシステム構成例を示すブロック図である。
【図３】ジョブ実行装置の機能構成例を示すブロック図である。
【図４】ジョブ実行装置の動作例を示すフローチャートである。
【図５】課金テーブルの構成例を示す図である。
【図６】管理テーブルの構成例を示す図である。
【図７】出力結果の第１例を示す図である。
【図８】出力結果の第２例を示す図である。
【符号の説明】
【００６３】
１  制御ＰＣ（決済処理装置）、１１  制御部、１２  ＨＤＤ、１３  操作パネル、１５  ジョブ管理部、１６  決済部、１７  生成部、１８  出力部、２  複合機（ジョブ実行手段）、２１  制御部、２２  プリンタ制御部、２３  プリンタ部、２４  スキャナ制御部、２５  スキャナ部、２６  画像処理部、２７  ファックス制御部、３  残高情報取得装置、３１  ＩＣカードリーダ、３２  コインキット、１００  ジョブ実行装置（画像形成装置）。
【図１】
2008124558.tif 000003
【図２】
2008124558.tif 000004
【図３】
2008124558.tif 000005
【図４】
2008124558.tif 000006
【図５】
2008124558.tif 000007
【図６】
2008124558.tif 000008
【図７】
2008124558.tif 000009
【図８】
2008124558.tif 000010